(57)【特許請求の範囲】
【請求項１】
アルミ電線の芯線に圧着して接続される圧着部を有し、この圧着部の内面にセレーションを形成したアルミ電線用圧着端子において、
前記圧着部をベースと該ベースの両側に形成された一対の圧着片とで略Ｕ字状に形成し、前記ベースの内面と前記一対の圧着片の各内面に前記芯線の長さ方向に対して直交する方向に延びる複数のセレーションを形成すると共に、該一対の圧着片の各外面の少なくとも先端側の前記芯線への圧着時に相対向する同位置に前記芯線の長さ方向に対して直交する方向に延びる複数のセレーションを形成し、前記一対の圧着片の各先端を前記アルミ電線の芯線の中心部に入り込むように加締め自在にしたことを特徴とするアルミ電線用圧着端子。
【発明の詳細な説明】
【技術分野】
【０００１】
本発明は、太物（大径）のアルミ電線との接続に用いて好適なアルミ電線用圧着端子に関する。
【背景技術】
【０００２】
この種のアルミ電線用圧着端子として、図４及び図５に示すものがある（例えば、特許文献１参照。）。
【０００３】
このアルミ電線用圧着端子１は、図４に示すように、図示しないボルト等の締結手段が貫通可能な貫通孔２ａを形成した締結部２と、アルミ電線５の複数本のアルミ素線６ａを撚って成る芯線６に圧着して接続される略Ｕ字状の圧着部３とを有している。この圧着部３の内面３ａには、芯線６の長さ方向に対して直交する方向に延びる複数のセレーション４を形成してある。
【０００４】
そして、図５に示すように、アルミ電線用圧着端子１の圧着部３にアルミ電線５の芯線６を加締めにより圧着すると、芯線６のアルミ素線６ａの表面の酸化被膜が複数のセレーション４の溝により破壊されて新生面（素地）が露出して、アルミ電線用圧着端子１の圧着部３にアルミ電線５の芯線６が電気接続されるようになっている。
【特許文献１】特開２００７−１７３２１５号公報（図１）
【特許文献２】特開２００３−２４９２８４号公報（図７）
【発明の開示】
【発明が解決しようとする課題】
【０００５】
しかしながら、前記従来のアルミ電線用圧着端子１では、アルミ素線６ａの本数が増えた太物（大径）のアルミ電線５を接続する場合に、芯線６の中心部（中央）に位置するアルミ素線６ａの表面の酸化被膜まで破壊することが難しいため、芯線６の外側に位置するアルミ素線６ａにのみ電流が流れて集中抵抗が発生し易かった。この抵抗により、芯線６の温度上昇や導通不良等の不具合が発生した。
【０００６】
そこで、本発明は、前記した課題を解決すべくなされたものであり、中心部に位置する芯線の表面の酸化被膜を確実に破壊して良好な電気接続を得ることができるアルミ電線用圧着端子を提供することを目的とする。
【課題を解決するための手段】
【０００８】
請求項１の発明は、アルミ電線の芯線に圧着して接続される圧着部を有し、この圧着部の内面にセレーションを形成したアルミ電線用圧着端子において、前記圧着部をベースと該ベースの両側に形成された一対の圧着片とで略Ｕ字状に形成し、前記ベースの内面と前記一対の圧着片の各内面に前記芯線の長さ方向に対して直交する方向に延びる複数のセレーションを形成すると共に、該一対の圧着片の各外面の少なくとも先端側の前記芯線への圧着時に相対向する同位置に前記芯線の長さ方向に対して直交する方向に延びる複数のセレーションを形成し、前記一対の圧着片の各先端を前記アルミ電線の芯線の中心部に入り込むように加締め自在にしたことを特徴とする。
【発明の効果】
【００１０】
以上説明したように、請求項１の発明によれば、圧着部をベースと該ベースの両側に形成された一対の圧着片とで略Ｕ字状に形成し、ベースの内面と一対の圧着片の各内面に芯線の長さ方向に対して直交する方向に延びる複数のセレーションを形成すると共に、該一対の圧着片の各外面の少なくとも先端側の芯線への圧着時に相対向する同位置に芯線の長さ方向に対して直交する方向に延びる複数のセレーションを形成し、一対の圧着片の各先端をアルミ電線の芯線の中心部に入り込むように加締め自在にしたことにより、圧着部のベースの内面と一対の圧着片の各内面に形成された複数のセレーションの凹凸により外側に位置するアルミ素線の表面の酸化被膜を破壊してその新生面（素地）が露出すると共に、一対の圧着片の各外面の先端側の芯線への圧着時に相対向する同位置に形成された複数のセレーションの凹凸により芯線の中心部に位置するアルミ素線の表面の酸化被膜を破壊してその新生面（素地）が露出することで良好な電気接続を得ることができる。
【発明を実施するための最良の形態】
【００１１】
以下、本発明の一実施形態を図面に基づいて説明する。
【００１２】
図１は本発明の一実施形態のアルミ電線用圧着端子のアルミ電線を圧着する前の状態を示す斜視図、図２は同アルミ電線用圧着端子のアルミ電線を圧着した状態の断面図、図３（ａ）は図２中Ａ−Ａ線に沿う断面図、図３（ｂ）は図３（ａ）中Ｂ部分の拡大断面図である。
【００１３】
図１に示すように、アルミ電線用圧着端子１０は、図示しないボルト等の締結手段が貫通可能な貫通孔１１ａを形成した銅製の締結部１１と、この締結部１１に一体形成され、アルミ電線２０の複数本のアルミ素線２１ａを撚って成る芯線２１に圧着して接続される圧着部１２とを有している。この圧着部１２は、ベース１３と該ベース１３の左右両側に一体形成された一対の圧着片１４，１４とで略Ｕ字状に形成してある。
【００１４】
そして、図１及び図２に示すように、ベース１３の内面１３ａと一対の圧着片１４，１４の各内面１４ａには芯線２１の長さ方向に対して直交する方向に延びる複数の長尺のセレーション１５を連続して形成してある。また、一対の圧着片１４，１４の各外面１４ｂの先端１４ｃ側の芯線２１への加締め時（圧着時）に相対向する同位置には芯線２１の長さ方向に対して直交する方向に延びる複数の短尺のセレーション１６を形成してある。
【００１５】
尚、図１に示すように、アルミ電線２０は、アルミニウム製またはアルミニウム合金製の複数本のアルミ素線２１ａが撚り合わされた芯線２１と、この芯線２１を被覆する絶縁被覆２２とで構成されている。
【００１６】
以上実施形態のアルミ電線用圧着端子１０によれば、図２，図３（ａ）に示すように、アルミ電線用圧着端子１０の圧着部１２の一対の圧着片１４，１４を該一対の圧着片１４の各先端１４ｃがアルミ電線２０の芯線２１の中心部に入り込むように加締めて該アルミ電線２０の芯線２１に圧着すると、圧着部１２のベース１３の内面１３ａと一対の圧着片１４，１４の各内面１４ａに連続して形成された複数の長尺のセレーション１５の溝と各内面１３ａ，１４ａとから成る凹凸により芯線２１の外側に位置するアルミ素線２１ａの表面の酸化被膜を破壊してその新生面（素地）が露出すると共に、一対の圧着片１４，１４の各外面１４ｂの先端１４ｃ側に形成された複数の短尺のセレーション１６の溝と外面１４ｂとから成る凹凸により芯線２１の中心部に位置するアルミ素線２１ａの表面の酸化被膜を破壊してその新生面（素地）が露出することにより、アルミ電線用圧着端子１０の圧着部１２にアルミ電線２０の芯線２１が良好な状態で電気接続される。
【００１７】
即ち、アルミ素線２１ａの表面に酸化被膜を有したアルミ電線２０の芯線２１を銅製のアルミ電線用圧着端子１０の圧着部１２に加締める際に、図３（ｂ）に示すように、芯線２１の中心部に位置するアルミ素線２１ａが各圧着片１４の外面１４ｂのセレーション１６の溝に強く擦り付けられて図３（ｂ）中矢印Ｆで示すように移動（摺動）すると共に、該アルミ素線２１ａのセレーション１６の近傍部分が図３（ｂ）中矢印Ｆ′で示すように移動（摺動）して、アルミ電線用圧着端子１０の圧着部１２と擦れて凝着が起きる。この凝着現象により、芯線２１の中心部に位置するアルミ素線２１ａの表面の酸化被膜が確実に破壊されて露出した新生面（素地）と、銅から成るアルミ電線用圧着端子１０の圧着部１２とが接触導通すると共に凝着されて電気的に接続される。その結果、撚られた複数本のアルミ素線２１ａから成る芯線２１の中央部に位置するアルミ素線２１ａの電気的な接触抵抗は小さくなり、また、芯線２１の全てのアルミ素線２１ａに均一な電流を流すことができるため、アルミ電線２０の芯線２１が太物（大径）の場合でも温度上昇を確実に低減させることができる。
【００１８】
さらに、アルミ電線用圧着端子１０の圧着部１２からのアルミ電線２０の芯線２１の抜けを確実に防止させることができ、機械的接続性も向上させることができる。
【００１９】
尚、前記実施形態によれば、複数本のアルミ素線を撚って芯線としたアルミ電線を圧着する場合について説明したが、撚らないアルミ素線を束にして芯線としたアルミ電線を圧着する場合にも前記実施形態を適用できることは勿論である。
【図面の簡単な説明】
【００２０】
【図１】本発明の一実施形態のアルミ電線用圧着端子のアルミ電線を圧着する前の状態を示す斜視図である。
【図２】上記アルミ電線用圧着端子のアルミ電線を圧着した状態の断面図である。
【図３】（ａ）は図２中Ａ−Ａ線に沿う断面図、（ｂ）は同（ａ）中Ｂ部分の拡大断面図である。
【図４】従来のアルミ電線用圧着端子のアルミ電線を圧着する前の状態を示す斜視図である。
【図５】上記従来のアルミ電線用圧着端子のアルミ電線を圧着した状態の断面図である。
【符号の説明】
【００２１】
１０  アルミ電線用圧着端子
１２  圧着部
１３  ベース
１３ａ  内面
１４，１４  一対の圧着片
１４ａ  内面
１４ｂ  外面
１４ｃ  先端
１５  セレーション
１６  セレーション
２０  アルミ電線
２１  芯線
２１ａ  アルミ素線
【図１】
0005249615.tif 000002
【図２】
0005249615.tif 000003
【図３】
0005249615.tif 000004
【図４】
0005249615.tif 000005
【図５】
0005249615.tif 000006